(57)【要約】【課題】フロアパネルを取り外し易くすることにより、配線作業等の床下作業の施工性を向上させることができるフロアパネルを提供する。【解決手段】板状の天板部２４と、天板部２４の四つの辺部から下方に向かってそれぞれ伸びる側板部２６を備えたフロアパネル２０であって、フロアパネル２０の外周部には、天板部２４から、その下方の側板部２６に渡って開口する開口部２７が形成され、開口部２７の水平方向内側に、天板部２４の裏面２４ｂから下方に向かって伸びる係合板部２７ａが形成された。【選択図】図８
2019015029.tif 000002
【特許請求の範囲】
【請求項１】
板状の天板部と、前記天板部の四つの辺部から下方に向かってそれぞれ伸びる側板部を備えたフロアパネルであって、
前記フロアパネルの外周部には、前記天板部から、その下方の前記側板部に渡って開口する開口部が形成され、
前記開口部の水平方向内側に、前記天板部の裏面から下方に向かって伸びる係合板部が形成された
ことを特徴とするフロアパネル。
【請求項２】
前記係合板部は、前記側板部の下端面と略同じ高さ位置まで、前記天板部の裏面から下方に向かって伸びるように形成された
ことを特徴とする請求項１に記載のフロアパネル。
【請求項３】
前記開口部は、前記天板部を略矩形状に開口すると共に、前記天板部の下方の前記側板部も略矩形状に開口するように形成された
ことを特徴とする請求項１又は２に記載のフロアパネル。
【請求項４】
前記側板部から前記係合板部まで、前記開口部の水平方向内側に向かって伸びる内周板部が形成された
ことを特徴とする請求項３に記載のフロアパネル。
【発明の詳細な説明】
【技術分野】
【０００１】
本発明は、フリーアクセスフロアに用いられるフロアパネルに関するものである。
【背景技術】
【０００２】
フリーアクセスフロアに用いられる本発明のフロアパネルは、建築構造物の一部を構成するコンクリート床面の上方に、支持台を介してその床面から空間を隔てて第２の床面を形成するために設けられるものである（例えば、特許文献１参照）。
【０００３】
図２４から図３１は、従来のフロアパネル２について説明するために参照する図である。ここで、図２４は、従来のフロアパネル２を用いたフリーアクセスフロア４の敷設作業の途中段階における上面図であり、図２５は、図２４におけるフリーアクセスフロア４の側面の一部を拡大した部分拡大側面図である。
【０００４】
従来のフロアパネル２は、図２４，２５に示すように、コンクリート材により形成された床面３上に連結部材８を介して立設する支持台６に支持され、支持台６と共にフリーアクセスフロア４を構成するようになっていた。
【０００５】
連結部材８は、図２４に示すように、同図中上下左右に３列ずつ並んで配置された９つの支持台６を支持する９つの支持部１２と、これら９つの支持部１２を図中上下方向又は左右方向に互いに連結する連結部１０を備えて構成されていた（図２５参照）。
【０００６】
そして、支持台６は、図２５に示すように、その下端部が連結部材８の支持部１２に形成された凹部に上方から嵌入することにより、連結部材８を介して床面３上に立設して配置されていた。
【０００７】
支持台６のそれぞれは、図２４中上下左右に隣接する別の支持台６との互いの中心部の間隔が、後述する上面１４ａ（図２７，２８参照）が略正方形に形成された天板１４を有するフロアパネル２（パネル２Ａ）の一辺の長さ寸法とほぼ同じ長さになるように、互いに離れて配置されていた。
【０００８】
支持台６には、図２６に示すように、その上端面６ａから同図中紙面奥側に深さを有するように開口して、後述するフロアパネル２の側板部１６に係合可能な４本の溝部６ｂが形成されていた。
【０００９】
４本の溝部６ｂの内の２本の溝部６ｂは、図２６中上下方向に互いに略平行に伸びるように配置され、他の２本の溝部６ｂは、図２６中左右方向に互いに略平行に伸びるように配置されていた。
【００１０】
そして、図２６中上下方向に伸びる２本の溝部６ｂと、図２６中左右方向に伸びる２本の溝部６ｂは、支持台６の上端面６ａの中央部において直交していた。
【００１１】
また、図２６に示すように、溝部６ｂには、その長さ途中部において、溝部６ｂの片側の側面６ｄから溝部６ｂの内側に突出するリブ６ｃが形成されていた。このリブ６ｃは、弾力性及び可撓性を有しており、リブ６ｃを押圧して撓ませることにより元の形状に戻ろうとする反発力を発生するようになっていた。
【００１２】
従来のフロアパネル２は、１枚の金属製の板状部材をプレス加工することによりその形状が形成されており、図２４に示すように、正方形のパネル２Ａと、正方形のパネル２Ａを２枚連結したような長方形のパネル２Ｂの２種類があった。
【００１３】
そして、例えば正方形のフロアパネル２（パネル２Ａ）は、図２７に示すように、略正方形の上面１４ａを有する板状に形成された天板部１４と、この天板部１４の四辺より略垂直下方に折曲げられて形成された４つの側板部１６（図３０参照）を備えるよう構成されていた。
【００１４】
また、天板部１４には、図２７中左右方向に伸びて、その上面１４ａよりその厚さ方向（図２８中上下方向）の裏側に凹んだ長溝部１４ｂが２つ形成されていた。これら２つの長溝部１４ｂは、図２７中上下方向に互いに間隔を空けて略平行に配置されていた。
【００１５】
また、図２７に示すように、フロアパネル２の外周部には、水平方向内側に略矩形状に切り欠かれたような開口部１７が、天板部１４から、その下方の側板部１６に渡って開口するように形成されていた（図２８参照）。
【００１６】
開口部１７は、天板部１４の四辺それぞれの端部において、天板部１４を厚さ方向（図２８中上下方向）に貫通すると共に、その天板部１４の下方の側板部１６を高さ方向（図２８中上下方向）の途中まで切り欠いたように形成されていた。
【００１７】
また、図２８に示すように、従来のフロアパネル２には、その側板部１６の長さ方向（同図中左右方向）中央部に、その両端部の段差面１６ａよりその高さ方向（同図中上下方向）の寸法が大きくなるように突出した突出部１６ｂが形成されていた。
【００１８】
そして、長方形のパネル２Ｂも、天板部１４の上面１４ａが略長方形に形成されている他は、図２７，及び図２８に示すような、正方形のパネル２Ａと同様の構成をしていた。
【００１９】
このような従来のフロアパネル２は、図２９に示すように、その側板部１６の段差面１６ａが形成された長さ方向の端部が、支持台６の溝部６ｂに図中上方から嵌入して、天板部１４の裏面１４ｃが支持台６の上端面６ａに接触することにより、床面３上の所定の高さ位置に着脱自在に支持されていた。
【００２０】
そして、側板部１６は、フロアパネル２が支持台６から上方に容易に抜け出さないように、支持台６の溝部６ｂの内側に形成されたリブ６ｃにより押圧されていた。
【００２１】
図２４に示すように、従来のフロアパネル２は、９つの支持台６上に、長方形のパネル２Ｂが、互いの天板部１４の長辺同士を突き合わせて隣り合うように、図中左右方向に２枚並べて載置されていた。
【００２２】
また、図２４に示すように、９つの支持台６に載置された２枚のフロアパネル２と、図中上下左右に隣接する、別の９つの支持台６に載置されたフロアパネル２との間を埋めるように、長方形のパネル２Ｂが載置されていた。そして、これら長方形のパネルの間を埋めるように正方形のパネル２Ａが載置されていた。
【００２３】
このため、従来のフロアパネル２は、フリーアクセスフロア４の敷設作業が完了すると、図２４中上下及び左右に隙間無く並んで配置され、床面３の上方に空間を隔てて第２の床面を形成するようになっていた。
【００２４】
そして、フロアパネル２の天板部１４と床面３の間の空間に配線ケーブル等を配置することができるようになっていた。
【００２５】
そして、配線作業等の床下作業を行うために、敷設されたフロアパネル２を支持台６の溝部６ｂから取り外す際には、図３１に示すように、フロアパネル２の開口部１７（図２７参照）にマイナスドライバー１８の先端部を挿入し、天板部１４の裏面１４ｃにマイナスドライバー１８の先端部を係合させて、マイナスドライバー１８を図中矢印の方向に回動させる（横に寝かせる）ことにより、フロアパネル２の隅部を上方に持ち上げていた。
【００２６】
すなわち、マイナスドライバー１８を図３１中矢印の方向に回動させて、マイナスドライバー１８の図３１中右端部を下方に移動させることにより、マイナスドライバー１８の先端部（図３１中左端部）が上方に浮き上がり、フロアパネル２の隅部が上方に持ち上がるようになっていた。
【先行技術文献】
【特許文献】
【００２７】
【特許文献１】特許第２７７８５３８号公報
【発明の概要】
【発明が解決しようとする課題】
【００２８】
しかしながら、前記従来のフロアパネル２においては、図３１に示すように、マイナスドライバー１８を用いてフロアパネル２を持ち上げようとしても、マイナスドライバー１８の先端部の厚さ分ぐらいしか、フロアパネル２が持ち上がらないため、この後にフロアパネル２を取り外しづらいという問題があった。
【００２９】
すなわち、フロアパネル２の天板部１４の裏面１４ｃにマイナスドライバー１８の先端部を係合させて、フロアパネル２を持ち上げようとしても、そのフロアパネル２の隣りに取り外されていないフロアパネル２（図３１中、右側のフロアパネル２）が存在する場合には、その隣りのフロアパネル２により、マイナスドライバー１８を図３１中矢印の方向に回動させる（横に寝かせる）角度が制限されていた。
【００３０】
そして、マイナスドライバー１８を図３１中矢印の方向に回動させる角度が制限されることにより、天板部１４の裏面１４ｃに係合したマイナスドライバー１８の先端部分の厚さ分ぐらいしか、フロアパネル２が持ち上がらないようになっていた。
【００３１】
そのため、配線作業等を行うために、マイナスドライバー１８を用いて、多数のフロアパネル２を取り外そうとしても、フロアパネル２を取り外すのに労力と時間が掛り、配線作業の施工性が低下していた。
【００３２】
そこで本発明は、上記問題点に鑑みて、フロアパネルを取り外し易くすることにより、配線作業等の床下作業の施工性を向上させることができるフロアパネルを提供することを課題とするものである。
【課題を解決するための手段】
【００３３】
上記課題を解決するために、本発明によるフロアパネルは、
板状の天板部と、前記天板部の四つの辺部から下方に向かってそれぞれ伸びる側板部を備えたフロアパネルであって、
前記フロアパネルの外周部には、前記天板部から、その下方の前記側板部に渡って開口する開口部が形成され、
前記開口部の水平方向内側に、前記天板部の裏面から下方に向かって伸びる係合板部が形成されたことを特徴とするものである。
【００３４】
また、本発明によるフロアパネルは、
前記係合板部は、前記側板部の下端面と略同じ高さ位置まで、前記天板部の裏面から下方に向かって伸びるように形成されたことを特徴とするものである。
【００３５】
また、上記課題を解決するために、本発明によるフロアパネルは、
前記開口部は、前記天板部を略矩形状に開口すると共に、前記天板部の下方の前記側板部も略矩形状に開口するように形成されたことを特徴とするものである。
【００３６】
また、上記課題を解決するために、本発明によるフロアパネルは、
前記側板部から前記係合板部まで、前記開口部の水平方向内側に向かって伸びる内周板部が形成されたことを特徴とするものである。
【発明の効果】
【００３７】
このような本発明のフロアパネルによれば、
板状の天板部と、前記天板部の四つの辺部から下方に向かってそれぞれ伸びる側板部を備えたフロアパネルであって、
前記フロアパネルの外周部には、前記天板部から、その下方の前記側板部に渡って開口する開口部が形成され、
前記開口部の水平方向内側に、前記天板部の裏面から下方に向かって伸びる係合板部が形成されたことにより、
フロアパネルを取り外し易くすることにより、配線作業等の床下作業の施工性を向上させることができる。
【図面の簡単な説明】
【００３８】
【図１】本発明の第１の実施の形態に係るフロアパネル２０を用いて構成されたフリーアクセスフロア２２の斜視図である。
【図２】図１におけるフリーアクセスフロア２２の一部を拡大して示す一部拡大斜視図である。
【図３】図１に示したフロアパネル２０の斜視図である。
【図４】図３に示したフロアパネル２０の上面図である。
【図５】図４に示したフロアパネル２０の正面図である。
【図６】図４に示したフロアパネル２０の右側面図である。
【図７】図７（ａ）は、図４に示したフロアパネル２０のＡ−Ａ線矢視断面図で、図７（ｂ）は、図４に示したフロアパネル２０のＢ−Ｂ線矢視断面図である。
【図８】図３に示したフロアパネル２０の開口部２７の部分を拡大して示す一部拡大斜視図である。
【図９】図４に示したフロアパネル２０のＣ−Ｃ線矢視断面図である。
【図１０】図１に示した支持台３０、及び連結部材３２の斜視図である。
【図１１】図１０に示した支持台３０、及び連結部材３２の上面図である。
【図１２】図１１に示した支持台３０を拡大して示す拡大上面図である。
【図１３】図１１に示した支持台３０、及び連結部３２の側面図である。
【図１４】図２に示したフリーアクセスフロア２２の一部を省略して示すＤ−Ｄ線矢視断面図である。
【図１５】フリーアクセスフロア２２を構成するフロアパネル２０の開口部２７にマイナスドライバー１８の先端部を挿入した状態を示す断面斜視図である。
【図１６】図１５に示したフリーアクセスフロア２２、及びマイナスドライバー１８の正面図である。
【図１７】図１６に示したフリーアクセスフロア２２、及びマイナスドライバー１８の一部を拡大して示す一部拡大正面図である。
【図１８】図１５に示したマイナスドライバー１８を回動させて（横に寝かせて）、フロアパネル２０の隅部を支持台３０の溝部３０ｂから抜き出した状態を示す断面斜視図である。
【図１９】図１８に示したフリーアクセスフロア２２、及びマイナスドライバー１８の正面図である。
【図２０】図１９のフリーアクセスフロア２２、及びマイナスドライバー１８の一部を拡大して示す一部拡大正面図である。
【図２１】本発明の第２の実施の形態に係るフロアパネル４０の上面図である。
【図２２】図２１に示したフロアパネル４０のＥ−Ｅ線矢視断面図である。
【図２３】フロアパネル４０の開口部４７の部分を拡大して示す一部拡大斜視図である。
【図２４】従来のフロアパネル２を用いて構成されたフリーアクセスフロア４の敷設作業の途中段階を示す上面図である。
【図２５】図２４に示したフリーアクセスフロア４の側面の一部を拡大して示す部分拡大側面図である。
【図２６】図２４に示した支持台６の拡大上面図である。
【図２７】従来のフロアパネル２の上面図である。
【図２８】図２７に示した従来のフロアパネル２の側面図である。
【図２９】図２７に示した従来のフロアパネル２を支持台６に取付ける作業を説明するための側面図である。
【図３０】図２７に示した従来のフロアパネル２のＦ−Ｆ線矢視断面図である。
【図３１】フロアパネル２の開口部１７にマイナスドライバー１８の先端部を挿入して、フロアパネル２の側板部１６を支持台６の溝部６ｂから抜き出した状態を示す一部断面側面図である。
【発明を実施するための形態】
【００３９】
以下、本発明に係るフロアパネルを実施するための形態について、図面に基づいて具体的に説明する。
【００４０】
図１から図２０は、本発明の第１の実施の形態に係るフロアパネル２０について説明するために参照する図である。
【００４１】
本実施の形態に係るフロアパネル２０は、図１，２に示すように、コンクリート材により形成された床面３上に立設する支持台３０に支持されて、支持台３０と共にフリーアクセスフロア２２を構成するようになっている。
【００４２】
そして、フロアパネル２０は、フリーアクセスフロア２２の敷設作業が完了すると、縦横に隙間無く並んで配置されて、床面３の上方に空間を隔てて第２の床面を形成するようになっている。
【００４３】
なお、フロアパネル２０は、前記従来のフロアパネル２と同様に、図３，４に示すような長方形のパネルと正方形パネルの２種類があり、前記従来のフリーアクセスフロア４と同様に、これら２種類のパネルを縦横に隙間無く並べて配置することで、第２の床面を形成するようになっている（図１，２４参照）。
【００４４】
フロアパネル２０は、１枚の金属製の板状部材をプレス加工することによりその形状が形成されている。
【００４５】
例えば長方形のフロアパネル２０は、図４〜６に示すように、略長方形の上面２４ａを有する板状に形成された天板部２４と、この天板部２４の四辺より略垂直下方に折曲げられて形成された４つの側板部２６（図７（ａ），（ｂ）参照）を備えて構成されている。
【００４６】
なお、フロアパネル２０の四辺における、長さ方向の両端部を除いた中央部分には、図７（ｂ）に示すように、側板部２６の下端部から略垂直に折れ曲がり、フロアパネル２０の内側（同図中右側）に向かって伸びる先端板部２８が形成されている。
【００４７】
例えば、フロアパネル２０における、図４中左右方向に伸びる下側の辺部の範囲Ｒ１、及び、図４中上下方向に伸びる左側の辺部の範囲Ｒ２においては、図７（ｂ）に示すように、フロアパネル２０の内側に向かって伸びる先端板部２８が形成されている。
【００４８】
このように、側板部２６の下端部が略垂直に折れ曲がり、先端板部２８が側板部２６よりも内側に配置されているため、フロアパネル２０と床面３との間の空間に配置された配線ケーブル等が、先端板部２８に接触して損傷を受けることを防止することができる。
【００４９】
さらに、側板部２６の下端部が略垂直に折れ曲がることにより、その断面係数及び断面二次モーメントが高くなるので、フロアパネル２０のたわみを抑えることができる。
【００５０】
また、図４に示すように、天板部２４には、図中上下方向に伸びて、その上面２４ａより、その厚さ方向（図５中上下方向）の裏側に凹んだ長溝部２４ｃが、天板部２４の強度を向上させるために６つ形成されている。これらの６つの長溝部２４ｃは、図４中左右方向に互いに間隔を空けて略平行に配置されている。
【００５１】
また、フロアパネル２０における、図４中左右方向に伸びる二辺の長さ方向中央部には、水平方向内側に切り欠いたような配線取出口２９が合計３つ（図４中左右方向に伸びる上側の辺部に２つ、下側の辺部に１つ）形成されている。
【００５２】
配線取出口２９は、図３，５に示すように、天板部２４を厚さ方向（図５中上下方向）に貫通すると共に、その天板部２４の下方の側板部２６と先端板部２８を高さ方向（図５中上下方向）全体に渡って切り欠いたように形成されている。
【００５３】
また、図４に示すように、フロアパネル２０の外周部には、水平方向内側に略矩形状に切り欠かれたような開口部２７が、天板部２４から、その下方の側板部２６に渡って開口するように形成されている（図８参照）。
【００５４】
開口部２７は、図８に示すように、天板部２４の四辺それぞれの端部において、天板部２４を厚さ方向（図６中上下方向）に貫通すると共に、その天板部２４の下方の側板部２６を高さ方向（図６中上下方向）全体に渡って切り欠いたように形成されている。
【００５５】
開口部２７は、フロアパネル２０の外周部分に２本の切り込みを入れて、その２本の切り込みの間の部分を、図８中下方に向かって折り曲げることにより、略矩形状（図４参照）の開口形状に形成されている。
【００５６】
そして、図８，９に示すように、開口部２７の水平方向内側（図９中右側）に、天板部２４の裏面２４ｂ（図９参照）から、側板部２６の下端面と略同じ高さ位置まで図９中下方に向かって伸びる係合板部２７ａが形成されている。
【００５７】
そして、正方形のパネルも、天板部２４の上面２４ａが略正方形に形成されている他は、長方形のパネルと同様の構成をしている。
【００５８】
２枚のフロアパネル２０を支持する９つの支持台３０（図１参照）は、図１０，１１に示すように、図１１中上下左右に３列ずつ並んで配置され、連結部材３２により互いに連結されている。
【００５９】
また、支持台３０には、図１２，１３に示すように、その上端面３０ａから図１３中下側に深さを有するように開口し、フロアパネル２０の側板部２６、及び先端板部２８（図７（ｂ）参照）を挿入可能な４本の溝部３０ｂが形成されている。
【００６０】
図１２に示すように、４本の溝部３０ｂの内の２本の溝部３０ｂは、図中上下方向に互いに略平行に伸びるように形成され、他の２本の溝部３０ｂは、図中左右方向に互いに略平行に伸びるように形成されている。
【００６１】
そして、図中上下方向に伸びる２本の溝部３０ｂと、図中左右方向に伸びる２本の溝部３０ｂは、支持台３０の上端面３０ａにおける中央部において直交している。
【００６２】
また、図１２に示すように、図中上下方向に伸びる２本の溝部３０ｂの片側（図中左右方向における外側）の側面３０ｄには、それぞれ図中左右方向外側に向かって凹んだ凹部３０ｃが、図中上下方向における中央側の位置に形成されている。
【００６３】
また、図１２に示すように、図中左右方向に伸びる２本の溝部３０ｃの片側（図中上下方向における外側）の側面３０ｄにも、それぞれ図中上下方向外側に向かって凹んだ凹部３０ｃが、図中左右方向における中央側の位置に形成されている。
【００６４】
そして、溝部３０ｂに凹部３０ｃが形成されていることにより、凹部３０ｃが形成されている部分における、溝部３０ｂの幅寸法Ｌ１（図１２参照）が、凹部３０ｃが形成されていない部分における、溝部３０ｂの幅寸法Ｌ２（図１２参照）よりも広くなっている。
【００６５】
そして、図１，１４に示すように、フロアパネル２０は、側板部２６、及び先端板部２８の長さ方向の端部と、長さ方向の中央部（配線取出口２９の周辺部分）が、支持台３０の溝部３０ｂに上方から挿入し、天板部２４の裏面２４ｂが支持台３０の上端面３０ａに接触することにより、床面３から所定の高さ位置に着脱自在に支持されている。
【００６６】
なお、フロアパネル２０の先端板部２８の図７（ｂ）中左右方向の長さ寸法Ｌ３は、支持台３０の溝部３０ｂの幅寸法Ｌ２（図１２参照）よりも少し短くなっているため、図１４に示すように、先端板部２８を溝部３０ｂに挿入できるようになっている。
【００６７】
また、図２に示すように、支持台３０の溝部３０ｂにおける、フロアパネル２０の係合板部２７ａ（図８参照）が挿入される位置には、凹部３０ｃ（図１２参照）が形成されている。
【００６８】
そして、係合板部２７ａの図９中右側の側面から、側板部２６の図９左側の側面までの長さ寸法Ｌ４（図９参照）は、凹部３０ｃが形成された部分の溝部３０ｂの幅寸法Ｌ１（図１２参照）よりも短くなっている。
【００６９】
このため、支持台３０の溝部３０ｂに凹部３０ｃ（図１２参照）が形成されることにより、図１４に示すように、フロアパネル２０の係合板部２７ａと、支持台３０が干渉しないように、係合板部２７ａを溝部３０ｂに挿入できるようになっている。
【００７０】
また、図１４に示すように、支持台３０の溝部３０ｂに挿入された係合板部２７ａは、その下端面が、溝部３０ｂの溝底面３０ｄとの間に所定の間隔が空くように配置されている。
【００７１】
フロアパネル２０の側板部２６、先端板部２８、及び係合板部２７ａを支持台３０の溝部３０ｂから抜き出す際には、図１５〜２０に示すように、マイナスドライバー１８を用いてフロアパネル２０の隅部を上方に押し上げている。
【００７２】
すなわち、まず、図１７に示すように、支持台３０の溝部３０ｂの溝底面３０ｄと、フロアパネル２０の係合板部２７ａの下端面の間に、マイナスドライバー１８の先端部を挿入し、係合板部２７ａの下端面にマイナスドライバー１８の先端部を係合させる。
【００７３】
そして、図１９，２０に示すように、マイナスドライバー１８を図１９中矢印の方向に回動させて（横に寝かせて）、マイナスドライバー１８の図１９中右端部を下方に移動させることにより、マイナスドライバー１８の先端部（図１９中左端部）が上方に浮き上がり、フロアパネル２０の隅部が上方に持ち上がるようになっている。
【００７４】
このように、マイナスドライバー１８の先端部をフロアパネル２０の係合板部２７ａの下端面に係合させて、フロアパネル２０の隅部を押し上げることにより、支持台３０の溝部３０ｂ内に挿入したフロアパネル２０の側板部２６、先端板部２８、及び係合板部２７ａを支持台３０の溝部３０ｂから抜き出している。
【００７５】
前記従来のフロアパネル２を支持台６の溝部６ｂから取り外す場合には、図３１に示すように、天板部１４の裏面１４ｃにマイナスドライバー１８の先端部分を係合してフロアパネル２を持ち上げていたため、マイナスドライバー１８の先端部分の厚さ分ぐらいしかフロアパネル２の隅部が持ち上がらなかった。
【００７６】
一方、本実施の形態に係るフロアパネル２０を支持台３０の溝部３０ｂから取り外す場合には、図２０に示すように、天板部２４の裏面２４ｂから、側板部２６の下端面まで下方に向かって伸びる係合板部２７ａ（図８，９参照）の下端面にマイナスドライバー１８の先端部分を係合してフロアパネル２を持ち上げているため、前記従来のフロアパネル２の隅部よりも係合板部２７ａの長さ寸法Ｌ５（図９参照）だけ上方に持ち上がるようになっている。
【００７７】
したがって、本実施の形態に係るフロアパネル２０においては、前記従来のフロアパネル２を用いた場合に比べて、この後のフロアパネル２０の取り外し作業が容易になるため、配線作業等の床下作業の施工性を向上させることができる。
【００７８】
以上に説明したように、本実施の形態に係るフロアパネル２０によれば、フロアパネルを取り外し易くすることにより、配線作業等の床下作業の施工性を向上させることができる。
【００７９】
図２１〜２３は、本発明の第２の実施の形態に係るフロアパネル４０について説明するために参照する図である。
【００８０】
本実施の形態に係るフロアパネル４０は、前記第１の実施の形態におけるフロアパネル２０の開口部２７の代わりに、開口部４７を備えている点において、前記第１の実施の形態に係るフロアパネル２０とは異なるものである。
【００８１】
本実施の形態に係るフロアパネル４０の開口部４７は、天板部４４と、その下方の側板部４６を水平方向内側に絞り加工により凹ませることにより、略矩形状（図２１参照）に開口するように形成されている。
【００８２】
このため、フロアパネル４０には、図２２，２３に示すように、開口部４７の水平方向内側（図２２中右側）に、天板部４４の裏面４４ｂから、側板部４６の下端面と略同じ高さ位置まで図２２中下方に向かって伸びる係合板部４７ａが形成されている。
【００８３】
また、図２３に示すように、フロアパネル４０の開口部４７には、前記第１の実施の形態に係るフロアパネル２０の開口部２７（図８参照）と異なり、側板部４６から係合板部４７ａまで、水平方向内側に向かって伸びる内周板部４７ｂが形成されている。
【００８４】
そして、前記第１の実施の形態におけるフロアパネル２０の側板部２６、先端板部２８、及び係合板部２７ａを支持台３０の溝部３０ｂから抜き出す場合と同様（図１５〜２０参照）に、フロアパネル４０の側板部４６、先端板部４８、及び係合板部４７ａを支持台３０の溝部３０ｂから抜き出す際には、係合板部４７ａの下端面にマイナスドライバー１８を係合させて、フロアパネル４０の隅部を押し上げている。
【００８５】
その他の構成は、前記第１の実施の形態に係るフロアパネル２０と同様である。
【００８６】
本実施の形態に係るフロアパネル４０は、天板部４４と側板部４６を切り欠いていないため、前記第１の実施の形態におけるフロアパネル２０に比べて、フロアパネル４０の強度を強くすることができる。
【００８７】
このような本実施の形態に係るフロアパネル４０によっても、前記第１の実施の形態に係るフロアパネル２０と同様の理由により、フロアパネル４０を取り外し易くすることにより、配線作業等の床下作業の施工性を向上させることができる
【００８８】
なお、本発明は、前記第１，第２の実施の形態のみに限定されるものではなく、本発明の目的を達成することができる範囲内であれば、種々の変更が可能である。
【００８９】
例えば、前記第１，第２の実施の形態に係るフロアパネル２０，４０においては、開口部２７，４７が、フロアパネル２０，４０の四辺のそれぞれの長さ方向の端部に形成されていたが、このような構成に限定される必要はなく、開口部２７，４７がフロアパネル２０，４０の四辺のそれぞれの長さ方向の端部以外の他の位置に形成されていてもよい。
【００９０】
また、前記第１の実施の形態に係るフロアパネル２０においては、天板部２４の裏面２４ｂから、図９中下方に向かって側板部２６の下端面と略同じ高さ位置まで伸びる係合板部２７ａが形成されていたが、このような構成に限定される必要はない。例えば、係合板部２７ａが、側板部２６の下端面と略同じ高さ位置まで伸びず、長さ寸法Ｌ５（図９参照）よりも少し短くなるように形成されていてもよい。
【００９１】
また、前記第１，第２の実施の形態に係るフロアパネル２０，４０においては、略長方形の上面２４ａ，４４ａを有する天板部２４，４４の裏面２４ｂ，４４ｂから、下方に向かって伸びる係合板部２７ａ，４７ａが形成されていたが、このような構成に限定される必要はなく、略正方形の上面を有する天板部の裏面から、下方に向かって伸びる係合板部２７ａ，４７ａが形成されていてもよい。
【００９２】
また、前記第１の実施の形態に係るフロアパネル２０，４０においては、側板部２６，４６の下端部から略垂直に折れ曲がり、フロアパネル２０，４０の内側に向かって伸びる先端板部２８，４８が形成されていたが、このような構成に限定される必要はなく、先端板部２８，４８が形成されていなくてもよい。
【符号の説明】
【００９３】
２  フロアパネル
３  床面
４  フリーアクセスフロア
６  支持台
６ａ  上端面
６ｂ  溝部
６ｃ  リブ
６ｄ  側面
８  連結部材
１０  連結部
１２  支持部
１４  天板部
１４ａ  上面
１４ｂ  長溝部
１４ｃ  裏面
１６  側板部
１６ａ  段差面
１６ｂ  突出部
１７  開口部
１８  マイナスドライバー
２０  フロアパネル
２２  フリーアクセスフロア
２４  天板部
２４ａ  上面
２４ｂ  裏面
２４ｃ  長溝部
２６  側板部
２７  開口部
２７ａ  係合板部
２８  先端板部
２９  配線取出口
３０  支持台
３０ａ  上端面
３０ｂ  溝部
３０ｃ  凹部
３０ｄ  側面
３２  連結部材
４０  フロアパネル
４４  天板部
４４ａ  上面
４４ｂ  裏面
４４ｃ  長溝部
４６  側板部
４７  開口部
４７ａ  係合板部
４７ｂ  内周板部
４８  先端板部
４９  配線取出口
Ｌ１  幅寸法
Ｌ２  幅寸法
Ｌ３  長さ寸法
Ｌ４  長さ寸法
Ｌ５  長さ寸法
Ｒ１  範囲
Ｒ２  範囲
【図１】
2019015029.tif 000003
【図２】
2019015029.tif 000004
【図３】
2019015029.tif 000005
【図４】
2019015029.tif 000006
【図５】
2019015029.tif 000007
【図６】
2019015029.tif 000008
【図７】
2019015029.tif 000009
【図８】
2019015029.tif 000010
【図９】
2019015029.tif 000011
【図１０】
2019015029.tif 000012
【図１１】
2019015029.tif 000013
【図１２】
2019015029.tif 000014
【図１３】
2019015029.tif 000015
【図１４】
2019015029.tif 000016
【図１５】
2019015029.tif 000017
【図１６】
2019015029.tif 000018
【図１７】
2019015029.tif 000019
【図１８】
2019015029.tif 000020
【図１９】
2019015029.tif 000021
【図２０】
2019015029.tif 000022
【図２１】
2019015029.tif 000023
【図２２】
2019015029.tif 000024
【図２３】
2019015029.tif 000025
【図２４】
2019015029.tif 000026
【図２５】
2019015029.tif 000027
【図２６】
2019015029.tif 000028
【図２７】
2019015029.tif 000029
【図２８】
2019015029.tif 000030
【図２９】
2019015029.tif 000031
【図３０】
2019015029.tif 000032
【図３１】
2019015029.tif 000033